(57)【要約】【課題】装置本体と取付部材との取り付けに用いた係止機構の係止を容易に解除して、装置本体から取付部材を容易に取り外すことを目的とする。【解決手段】ビス９８を外したのち、キーボード７０を装置右側方向にスライドさせることで、左側係止片１００、右側係止片１１０、及び後側係止片１２０と、左側被係止部２００、右側被係止部２１０、及び後側被係止部２２０との係止が解除される。このように係止が解除されることで、キーボード７０を固定側装置２０から容易に取り外すことができる。【選択図】図５
2014026442.tif 000002
【特許請求の範囲】
【請求項１】
装置本体と、
前記装置本体に取り付けられると共に、前記装置本体への取付位置から取付方向と交差する方向にスライドされたスライド位置に変位する取付部材と、
前記取付部材の前記取付位置から前記スライド位置へのスライドを規制すると共に該規制を解除する規制部と、
前記取付部材に設けられた係止部と、前記装置本体に設けられ前記取付位置において前記係止部が係止されることで前記取付部材の前記装置本体に対する前記取付方向と反対方向の移動を規制し前記スライド位置において前記係止部との係止状態が解除される被係止部と、を有する係止機構と、
を備える電子機器。
【請求項２】
前記係止部は、前記取付部材から前記取付方向に突出し、
前記係止部の突出側の先端部には、前記取付部材の前記装置本体への取り付けに伴って、前記係止部が前記被係止部に係止される爪部が設けられている、
請求項１に記載の電子機器。
【請求項３】
前記係止部は、前記取付部材における前記スライド位置へのスライド方向の先側と後側の辺部にそれぞれ設けられている、
請求項１又は請求項２に記載の電子機器。
【請求項４】
前記取付部材は、厚み方向を前記取付方向として前記装置本体に取り付けられている、
請求項１〜請求項３のいずれか１項に記載の電子機器。
【請求項５】
前記装置本体と前記取付部材とは電線を介して電気的に接続され、
前記取付部材が前記取付位置にあるときに、前記電線と前記取付部材との接続部位は、前記電線と前記装置本体との接続部位よりも、前記スライド位置へのスライド方向の後側に位置している、
請求項１〜請求項４のいずれか１項に記載の電子機器。
【請求項６】
前記係止部は、前記取付部材における前記スライド位置にスライドするスライド方向に沿った辺部に設けられ、
前記係止部は、前記取付部材が前記取付位置にあるときに、前記被係止部の前記スライド方向の後側の側部に当接する当接部を有する、
請求項１〜請求項５のいずれか１項に記載の電子機器。
【請求項７】
前記装置本体と前記取付部材とには、前記スライド位置にスライドするスライド方向と交差する方向に沿って、互いに異なる方向に突出する突出部がそれぞれ設けられ、
前記取付部材が前記取付位置にあるときに、前記取付部材の突出部は、前記装置本体の突出部の前記スライド方向の後側の側部に当接される、
請求項１〜請求項６のいずれか１項に記載の電子機器。
【発明の詳細な説明】
【技術分野】
【０００１】
本願が開示する技術は、電子機器に関する。
【背景技術】
【０００２】
従来、装置本体と取付部材との取り付けに係止機構を用いた機器がある。
【先行技術文献】
【特許文献】
【０００３】
【特許文献１】実用新案登録３０８１０２８号公報
【特許文献２】特開２０１０−２７４００号公報
【発明の概要】
【発明が解決しようとする課題】
【０００４】
ここで、この種の係止機構を用いた機器において、例えば、保守作業の作業効率を向上させるため、取付部材を装置本体から容易に取り外せることが望ましい。
【０００５】
そこで、本願の開示する技術は、一つの側面として、装置本体と取付部材との取り付けに用いた係止機構の係止を容易に解除して、装置本体から取付部材を容易に取り外すことを目的とする。
【課題を解決するための手段】
【０００６】
上記目的を達成するために、本願の開示する技術によれば、電子機器は、装置本体と、装置本体に取り付けられると共に装置本体への取付位置から取付方向と交差する方向にスライドされたスライド位置に変位する取付部材と、規制部と、係止機構とを備えている。規制部は、取付部材の取付位置からスライド位置へのスライドを規制すると共に該規制を解除する。係止機構は、取付部材に設けられた係止部と、装置本体に設けられ取付位置において係止部が係止されることで取付部材の装置本体に対する取付方向と反対方向の移動を規制しスライド位置において係止部との係止状態が解除される被係止部とを有する。
【発明の効果】
【０００７】
本願が開示する技術によれば、装置本体と取付部材との取り付けに用いた係止機構の係止を容易に解除して、装置本体から取付部材を容易に取り外すことができる。
【図面の簡単な説明】
【０００８】
【図１】電子機器の一実施形態であるノートパソコンを示す斜視図である。
【図２】図１に示されるノートパソコンの固定側装置を示す平面図である。
【図３】図２に示される固定側装置を示す分解斜視図である。
【図４】（Ａ）は固定側装置の固体側筐体のアッパーケースを裏側から見た斜視図であり、（Ｂ）は（Ａ）のＢ部の拡大斜視図であり、（Ｃ）は（Ａ）のＣ部の拡大斜視図であり、（Ｄ）は（Ａ）のＤ部の拡大斜視図であり、（Ｅ）は（Ａ）のＥ部の拡大斜視図である。
【図５】（Ａ）は図４（Ａ）の状態からキーボードが右側にスライドされて係止が解除された状態のアッパーケースを裏側から見た斜視図であり、（Ｂ）は（Ａ）のＢ部の拡大斜視図であり、（Ｃ）は（Ａ）のＣ部の拡大斜視図であり、（Ｄ）は（Ａ）のＤ部の拡大斜視図であり、（Ｅ）は（Ａ）のＥ部の拡大斜視図である。
【図６】（Ａ）は固定側装置の固体側筐体のアッパーケースを裏側から見た平面図であり、（Ｂ）は（Ａ）のＢ部の拡大平面図であり、（Ｃ）は（Ａ）のＣ部の拡大平面図であり、（Ｄ）はキーボードが右側にスライドされて係止が解除された状態の（Ｂ）に対応する拡大平面図であり、（Ｅ）はキーボードが右側にスライドされて係止が解除された状態の（Ｃ）に対応する拡大平面図であり、（Ｅ）は（Ａ）のＥ部の拡大斜視図である。
【図７】（Ａ）は左辺部及び右辺部の係止部と被係止部とが係止した係止状態を模式的に示す斜視図であり、（Ｂ）は（Ａ）の状態からスライドして係止が解除された係止解除状態を模式的に示す斜視図であり、（Ｃ）は後辺部の係止部と被係止部とが係止した係止状態を模式的に示す斜視図であり、（Ｄ）は（Ｃ）の状態からスライドして係止が解除された係止解除状態を模式的に示す斜視図である。
【図８】（Ａ）は固定側装置の固体側筐体のアッパーケースを裏側から見た平面図であり、（Ｂ）は（Ａ）のＢ部の拡大平面図であり、（Ｃ）はキーボードが右側にスライドされて係止が解除された状態の（Ｂ）に対応する拡大平面図である。
【図９】固定側装置からキーボードを取り外す際の、（Ａ）はビスを外してキーボードを右側にスライドした状態を示す斜視図であり、（Ｂ）はキーボードを取り外した状態を示す斜視図である。
【図１０】（Ａ）はキーボードが固定側装置に取り付けられた状態のフレキシブルケーブルを模式的に示す平面図であり、（Ｂ）はキーボードを右側にスライドしたときのフレキシブルケーブルの状態を模式的に示す平面図である。
【図１１】比較例のキーボードを示す図２に対応する平面図である。
【発明を実施するための形態】
【０００９】
以下、図面を参照しながら本願が開示する技術の一実施形態について説明する。
＜ノートパソコンの構造＞
図１に示されるように、電子機器の一例としてのノートブック型パーソナルコンピュータ（以降「ノートパソコン」と記す）１０は、可動側装置３０と装置本体の一例としての固定側装置２０とを備えている。可動側装置３０は固定側装置２０の後端部に図示しないヒンジユニットを介して矢印Ｋ方向に開閉（回転）可能に支持されている。また、可動側装置３０は、固定側装置２０の上に重ねられた閉じ位置と、固定側装置２０に対して立てられた開き位置との間で移動可能になっている。
【００１０】
なお、図１には、ノートパソコン１０の固定側装置２０を机等の上に設置した状態で且つ可動側装置３０が開き位置の状態が示されている（ノートパソコン１０を使用している使用状態が示されている）。そして、各図で適宜示される矢印Ｆｒは、この図１の状態における固定側装置２０の装置前後方向の装置前側方向を示している。また、矢印Ｕｐは、図１の状態における固定側装置２０の装置上下方向の装置上側方向を示している。そして、矢印Ｒｈは、図１の状態における固定側装置２０の装置幅方向の装置右側方向を示している。
【００１１】
また、以下の説明において、特記なく前後左右上下の方向を用いる場合は、図１の状態における固定側装置２０の装置前側方向、装置後側方向、装置上側方向、装置下側方向、装置左側方向、及び装置右側方向を、それぞれ示すものとする。また、図１以外の図では、可動側装置３０の図示が省略されている。
【００１２】
可動側装置３０は、表示パネル３２と表示パネル３２を収納する可動側筐体３４とを有している。表示パネル３２の前面は、画像や映像等を表示する表示面３２Ａとされている。また、可動側筐体３４は、表示パネル３２の表示面３２Ａの外周部を覆うフロントカバー３６と、表示パネル３２の背面を覆うバックカバー３８と、を有している。フロントカバー３６は枠状に形成されており、その枠内から表示パネル３２の表示面３２Ａが露出している。
【００１３】
図１〜図３に示されるように、固定側装置２０は、基板やハードディスク等が収容された固定側筐体２４を有している。固定側筐体２４は、アッパーケース２６とロアケース２８とを有している。アッパーケース２６は下側が開口した箱状に形成されており、ロアケース２８は上側が開口した箱状に形成されている。そして、これらのアッパーケース２６とロアケース２８とは、上下方向に対向すると共に、互いの開口を閉じるように合わせられ、図示しないネジ等で連結されている。
【００１４】
固定側筐体２４のアッパーケース２６の上面部における前端部分、即ち、操作者（使用者）の手首等が載置されるアームレスト部２６Ｐには、タッチパッド１２等のポインティングデバイスが設けられている。
【００１５】
また、図３に示されているように、固定側筐体２４のアッパーケース２６の上面部におけるアームレスト部２６Ｐの後側には、取付部材の一例としてのキーボード７０が取り付けられる取付凹部２２が設けられている。なお、本実施形態のキーボード７０は、一例として各種キー７４がフレーム７６に設けられたアイソレーションキーボードとされている。
【００１６】
また、キーボード７０は、装置幅方向と直交する断面形状は、装置上下方向を厚み方向とする扁平形状とされている。
【００１７】
図２及び図３に示されているように、装置上側方向から見たキーボード７０外形部分は、装置前後方向に沿った左辺部８２及び右辺部８６と、装置幅方向（左右方向）に沿った前辺部８４及び後辺部８８との四つの辺部を有している。
【００１８】
なお、図２に示すように、キーボード７０の装置幅方向の中央右側の前側部分には、複数のカーソルキー７１を備えるカーソル部７２が設けられている。よって、装置上側方向から見たキーボード７０の外形形状は、装置幅方向を長手方向とする略矩形状であるが、正確にはこのカーソル部７２から装置右側部分が、装置左側部分よりも装置前後方向に幅広となっている。つまり、キーボード７０の前辺部８４は、このカーソル部７２よりも装置左側が装置幅方向に沿った直線部８４Ａとされ、この直線部８４Ａから右側方向に向かって前側方向に傾斜した傾斜部８４Ｂがある形状となっている。そして、この傾斜部８４Ｂから右側方向に装置幅方向に沿った直線部８４Ｃが延びた形状となっている。このように装置上側方向から見たキーボード７０の外形形状は、装置幅方向左側から装置幅方向右側に向かって幅広となる部位はあっても、装置幅方向左側から装置幅方向右側に向かって幅狭となる部位がない形状となっている。
【００１９】
図３に示されるように、前述した固定側筐体２４のアッパーケース２６の上面部の取付凹部２２は、上述したキーボード７０の外形形状に対応した形状となっている。また、取付凹部２２は、左右の両端部分には壁がなく左右方向に開口している。よって、取付凹部２２に取り付けられるキーボード７０の左辺部８２及び右辺部８６が、固定側装置２０の左右の側面の一部を成している。
【００２０】
なお、後述するように、キーボード７０を取り外す際には、キーボード７０が取付凹部２２に取り付けられた取付位置（図１参照）と、この取付位置から装置右側方向にスライドしたスライド位置（図９（Ａ））にスライドされる。
【００２１】
図４に示されているように、キーボード７０は固定側筐体２４の取付凹部２２に取り付けられ、係止機構９０によって上側方向への移動が規制されている。
【００２２】
詳細は後述するが、係止機構９０は、係止部の一例としての複数の左側係止片１００（図４（Ｂ））、右側係止片１１０（図４（Ｃ））、及び後側係止片１２０（図４（Ｄ））を有している。また、係止機構９０は、被係止部の一例としての複数の左側被係止部２００（図４（Ｂ））、右側被係止部２１０（図４（Ｃ））、及び後側被係止部２２０（図４（Ｄ））を有している。左側係止片１００、右側係止片１１０、及び後側係止片１２０は、それぞれキーボード７０の左辺部８２、右辺部８６、後辺部８８に設けられている。また、左側被係止部２００、右側被係止部２１０、及び後側被係止部２２０は、固定側装置２０の取付凹部２２における左側係止片１００、右側係止片１１０、後側係止片１２０に対応する位置（左側端部、右側端部、後側端部）にそれぞれ設けられている。
【００２３】
そして、キーボード７０の左側係止片１００、右側係止片１１０、後側係止片１２０が、それぞれ固定側装置２０の対応する左側被係止部２００、右側被係止部２１０、及び後側被係止部２２０に係止している。更に、規制部の一例としての２つのビス９８でキーボード７０が固定側装置２０にビス止めされている。
【００２４】
なお、本実施形態では、キーボード７０の前辺部８４（（図４（Ａ）、図３等を参照））は、引掛機構９２によって、上側方向への移動が規制されている。詳細は後述するが、引掛機構９２はキーボード７０の前辺部８４に設けられた引掛部１５０（図４（Ｅ）と固定側筐体２４の取付凹部２２に設けられた凹状の被引掛凹部２５０（図４（Ｅ））とを有している。そして、キーボード７０の引掛部１５０が固定側筐体２４の被引掛凹部２５０に引っ掛けられている。このように引っ掛けられることより、キーボード７０の前辺部８４（（図４（Ａ）、図３等を参照））が固定側筐体２４の取付凹部２２に対して上側方向の移動が規制されている。
【００２５】
図８（Ａ）と図８（Ｂ）とに示されているように、キーボード７０の後辺部８８には装置後側に突出した突出部の一例としてのキーボード側突出部１８０が形成されている。このキーボード側突出部１８０は、装置前後方向を長手方向とする矩形状の弾性片とされ、先端部が半円形状となっている。一方、固定側筐体２４には装置前側に突起する半円形状の突出部の一例としての装置側突出部２８０が形成されている。そして、キーボード側突出部１８０は装置側突出部２８０の左側に位置し、キーボード側突出部１８０の右側部１８０Ａが装置側突出部２８０の左側部２８０Ａに当たっている。また、このようにキーボード側突出部１８０の右側部１８０Ａが装置側突出部２８０の左側部２８０Ａに当たることで、キーボード７０の固定側装置２０に対する右側方向の位置決めが成されている。
【００２６】
図４（Ａ）に示されているように、キーボード７０と固定側装置２０とは、電線の一例としてのフレキシブルケーブル（フレキシブルプリント基板）３００によって電気的に接続されている。フレキシブルケーブル３００の装置上下方向からみた形状は、略Ｌ字形状となっている（図１０（Ａ）も参照）。より具体的に説明すると、フレキシブルケーブル３００は、一端部３００Ａから前側に延在したのち右側に屈曲して右側に延在し、延在した先端部が他端部３００Ｂとなる。
【００２７】
フレキシブルケーブル３００の一端部３００Ａは、キーボード７０の前辺部８４の左側端部近傍に接続されている。一方、フレキシブルケーブル３００の他端部３００Ｂは、固定側装置２０に設けられたコネクタ３１０に接続されている。このようにフレキシブルケーブル３００のキーボード７０側の接続部位である一端部３００Ａは、固定側装置２０側の接続部位であるコネクタ３１０よりも、左側に位置している（図１０（Ａ）も参照）。
【００２８】
（係止機構）
つぎに、係止機構９０について詳述する。
【００２９】
まず、装置幅方向左側の左側係止片１００及び左側被係止部２００（図４（Ｂ））と装置幅方向右側の右側係止片１１０及び右側被係止部２１０（図４（Ａ））とについて説明する。
【００３０】
図４（Ａ）、図４（Ｂ）、図６（Ａ）、図６（Ｂ）に示すように、キーボード７０の左辺部８２には係止部の一例としての左側係止片１００が設けられている。また、図４（Ａ）、図４（Ｃ）、図６（Ａ）、図６（Ｃ）に示すように、キーボード７０の右辺部８６には係止部の一例としての右側係止片１１０が設けられている。
【００３１】
図４（Ｂ）、図６（Ｂ）に示す左側係止片１００は、図７（Ａ）及び図７（Ｂ）に示すように、下側に向けて突出し、板厚方向が装置左右方向の弾性片とされている。左側係止片１００の突出側の先端部である下端部には、装置左側方向に凸とされ装置前後方向に見て略三角形状の爪部１０２が一体に形成されている。爪部１０２には、装置前後方向に見て左側係止片１００の突出方向へ向けて先細りとなり、突出方向に向かうに従って右側に傾斜した傾斜面１０２Ａが形成されている。
【００３２】
同様に、図４（Ｃ）、図６（Ａ）に示す右側係止片１１０は、図７（Ａ）及び図７（Ｂ）に示すように、下側に向けて突出し、板厚方向が装置左右方向の弾性片とされている。右側係止片１１０の突出側の先端部である下端部には、装置左側方向に凸とされ装置前後方向に見て略三角形状の爪部１１２が一体に形成されている。爪部１１２には、装置前後方向に見て係止片１１０の突出方向へ向けて先細りとなり、突出方向に向かうに従って右側に傾斜した傾斜面１１２Ａが形成されている。
【００３３】
一方、図４（Ａ）、図４（Ｂ）、図６（Ａ）、図６（Ｂ）に示すように、固定側筐体２４のアッパーケース２６の上面部における取付凹部２２（図３参照）の左側端部には左側係止片１００が係止する左側被係止部２００が設けられている。また、図４（Ａ）、図４（Ｃ）、図６（Ａ）、図６（Ｃ）に示すように、取付凹部２２の右側端部には、右側係止片１１０が係止する右側被係止部２１０が設けられている。
【００３４】
図４（Ｂ）、図６（Ｂ）に示す左側被係止部２００には、上下方向に貫通する矩形状の係止孔２０２が形成されている。そして、キーボード７０が取付凹部２２に取り付けられた取付状態において、キーボード７０の左側係止片１００が係止孔２０２に挿入され、左側係止片１００の爪部１０２が係止孔２０２から下側に突出する。そして、突出した爪部１０２が、係止孔２０２の左側縁部２０２Ａに係止する（図７（Ａ）も参照）。なお、係止孔２０２は、爪部１０２が装置右側に移動して左側縁部２０２Ａから外れ、係止が解除されることが可能な大きさである（図５（Ｂ）、図７（Ｂ）も参照）。
【００３５】
同様に、図４（Ｃ）、図６（Ｃ）に示す右側被係止部２１０には、上下方向に貫通する矩形状の係止孔２１２が形成されている。そして、キーボード７０が取付凹部２２に取り付けられた取付状態において、キーボード７０の右側係止片１１０が係止孔２１２に挿入され、右側係止片１１０の爪部１１２が係止孔２１２から下側に突出する。そして、突出した爪部１１２が、係止孔２１２の左側縁部２１２Ａに係止する（図７（Ａ）も参照）。なお、係止孔２１２は、爪部１１２が右側に移動して左側縁部２１２Ａから外れ、係止が解除されることが可能な大きさである（図５（Ｃ）、図７（Ｂ）も参照）。
【００３６】
つぎに、装置後側の後側係止片１２０と後側被係止部２２０とについて説明する。
【００３７】
図４（Ａ），図４（Ｄ）、図６（Ａ）、図６（Ｃ）に示されているように、キーボード７０の後辺部８８には、後側係止片１２０が設けられている。図７（Ａ）、図７（Ｂ）に示すように、後側係止片１２０は下側に向けて突出し、板厚方向が装置前後方向の弾性片とされている。後側係止片１２０の突出側の先端部となる下端部には、後側方向に凸とされ左右方向に見て略三角形状の爪部１２２が一体に形成されている。爪部１２２には、左右方向に見て後側係止片１２０の突出方向へ向けて先細りとなり、突出方向に向かうに従って前側に傾斜した傾斜面１２２Ａが形成されている。また、後側係止片１２０の爪部１２２の右側には、当接部の一例としての壁部１２４が一体に形成されている。
【００３８】
一方、図４（Ａ）、図４（Ｄ）、図６（Ａ）、図６（Ｃ）に示されているように、固定側筐体２４のアッパーケース２６の上面部における取付凹部２２（図３参照）の後側端部には、後側係止片１２０が係止する後側被係止部２２０が設けられている。図４（Ｄ）、図６（Ｃ）に示すように、後側被係止部２２０は、装置前側に凹んだ係止凹部２２２が形成されている。この係止凹部２２２の装置左右方向の中央部分には、後側係止片１２０の爪部１２２が係止する張出片部２２４が設けられている（図７（Ｃ）も参照）。なお、張出片部２２４の中央部分には、上下方向に貫通する孔２２６が形成されている。そして、キーボード７０が取付凹部２２に取り付けられた取付状態において、後側係止片１２０の爪部１２２が係止凹部２２２から下側に突出し、突出した爪部１２２が、係止凹部２２２の張出片部２２４に係止する（図７（Ｃ）も参照）。
【００３９】
なお、キーボード７０の後側係止片１２０の爪部１２２が、固定側装置２０の張出片部２２４に係止した状態では、後側係止片１２０の壁部１２４の左側の壁面１２４Ａが張出片部２２４の右側の端面２２４Ａに当たる（図７（Ｃ）も参照）。そして、このように後側係止片１２０の壁部１２４の左側の壁面１２４Ａが張出片部２２４の右側の端面２２４Ａに当たることで、キーボード７０が固定側筐体２４に対する位置決めが成されている。
【００４０】
また、固定側装置２０の後側被係止部２２０の係止凹部２２２の張出片部２２４よりも右側は、後側係止片１２０が右側方向に移動し、爪部１２２が張出片部２２４から外れて、係止が解除されることが可能な大きさである（図５（Ｄ）も参照）。
【００４１】
（引掛機構）
つぎに、装置前側の引掛機構９２について詳述する。
【００４２】
図４（Ａ）、図４（Ｅ）、図６（Ａ）、図６（Ｂ）に示されているように、キーボード７０の前辺部８４（図３を参照）には、装置下側に向けて突出する引掛部１５０が設けられている。また、引掛部１５０は装置前側に向けて突出する先端部１５０Ａを有している。一方、固定側筐体２４のアッパーケース２６の上面部における取付凹部２２（図３参照）の後側端部には、引掛部１５０の先端部１５０Ａが引っ掛けられる上側が凹んだ被引掛凹部２５０が形成されている。なお、被引掛凹部２５０の装置幅方向の幅は、引掛部１５０の先端部１５０Ａの装置幅方向の幅よりも幅広とされている。
【００４３】
＜キーボードの取付手順＞
つぎに、ノートパソコン１０の固定側装置２０にキーボード７０を取り付ける取付手順について説明する。
【００４４】
図３に示されているように、ノートパソコン１０の固定側筐体２４の取付凹部２２に上側からキーボード７０を取り付ける。なお、フレキシブルケーブル３００の他端部３００Ｂを固定側装置２０に設けられたコネクタ３１０に予め接続しておく（図４参照）。
【００４５】
図４に示されているように、キーボード７０の左側係止片１００、右側係止片１１０、後側係止片１２０が、それぞれ対応する固定側装置２０の左側被係止部２００、右側被係止部２１０、及び後側被係止部２２０に係止する。
【００４６】
具体的には、図４（Ｂ）及び図７（Ａ）に示されているように、キーボード７０の左辺部８２の左側係止片１００の爪部１０２の傾斜面１０２Ａが、固定側装置２０の左側被係止部２００の係止孔２０２の左側縁部２０２Ａに当たる。傾斜面１０２Ａが左側縁部２０２Ａに当たることで、爪部１０２が右側に案内され、左側係止片１００が弾性変形する。左側係止片１００が弾性変形することで爪部１０２が左側縁部２０２Ａを乗り越える。そして、爪部１０２が左側縁部２０２Ａを乗り越えると、弾性復帰して爪部１０２が左側縁部２０２Ａに係止する。
【００４７】
同様に図４（Ｃ）及び図７（Ａ）に示されているように、キーボード７０の右辺部８６の右側係止片１１０の爪部１１２の傾斜面１１２Ａが、固定側装置２０の右側被係止部２１０の係止孔２１２の左側縁部２１２Ａに当たる。傾斜面１２２Ａが左側縁部２１２Ａに当たることで、爪部１１２が右側に案内され、右側係止片１１０が弾性変形する。右側係止片１１０が弾性変形することで爪部１１２が左側縁部２１２Ａを乗り越える。そして、爪部１１２が左側縁部２１２Ａを乗り越えると、弾性復帰して爪部１１２が左側縁部２１２Ａに係止する。
【００４８】
また、図４（Ｄ）及び図７（Ｃ）に示されているように、キーボード７０の後辺部８８の後側係止片１２０の爪部１２２の傾斜面１２２Ａが、固定側装置２０の後側被係止部２２０の張出片部２２４に当たる。傾斜面１２２Ａが張出片部２２４に当たることで、爪部１２２が前側に案内され、後側係止片１２０が弾性変形する。後側係止片１２０が弾性変形することで爪部１２２が張出片部２２４を乗り越える。そして、爪部１１２が張出片部２２４を乗り越えると、弾性復帰して爪部１２２が張出片部２２４に係止する。
【００４９】
このように係止することで、キーボード７０の左辺部８２、前辺部８４、及び右辺部８６が、固定側装置２０に対して装置上側方向への移動が規制される。
【００５０】
また、図４（Ｄ）、図７（Ｃ）に示すように、キーボード７０の後側係止片１２０の壁部１２４の左側の壁面１２４Ａが、固定側装置２０の後側被係止部２２０の張出片部２２４の右側の端面２２４Ａに当たることで、キーボード７０の左側方向の移動が規制される。また、キーボード７０の固定側筐体２４に対する左側方向の位置決めが成される（図８（Ｂ）も参照）。
【００５１】
更に、図８（Ｂ）に示されているように、キーボード７０のキーボード側突出部１８０が、固定側装置２０の装置側突出部２８０の左側に位置し、キーボード側突出部１８０の右側部１８０Ａが装置側突出部２８０の左側部２８０Ａに当たる。そして、キーボード側突出部１８０の右側部１８０Ａが、装置側突出部２８０の左側部２８０Ａに当たることでキーボード７０の装置右側方向（スライド方向）への移動が規制される。また、キーボード７０の固定側筐体２４に対する装置右側方向（スライド方向）の位置決めが成される。
【００５２】
そして、図３に示すように、二本のビス９８で、キーボード７０を固定側筐体２４にビス止めし、キーボード７０のスライドを規制する。
【００５３】
なお、本実施形態では、図３に示されているキーボード７０の前辺部８４は、固定側筐体２４の取付凹部２２の後側端部に、図５（Ｄ）に示されている引掛機構９２によって引っ掛けかけられる。よって、図３に示すキーボード７０を斜めにして、キーボード７０の前辺部８４の引掛部１５０を固定側筐体２４の被引掛凹部２５０に引掛けて、キーボード７０の前辺部８４を回転軸としてキーボード７０を回転させる。そして、キーボード７０の左側係止片１００、右側係止片１１０、及び後側係止片１２０を、それぞれ固定側装置２０の左側被係止部２００、右側被係止部２１０、及び後側被係止部２２０に係止させる。
【００５４】
＜キーボードの取外手順＞
つぎに、保守作業等の際におけるノートパソコン１０の固定側装置２０からキーボード７０を取り外す取外手順について説明する。
【００５５】
図９（Ａ）に示されているように、２本のビス９８を取り外す。そして、キーボード７０を装置幅方向右側方向にスライドさせる。なお、キーボード７０を右側にスライドする際に、図８（Ｃ）に示されているように、キーボード７０のキーボード側突出部１８０が弾性変形して撓み、固定側筐体２４の装置側突出部２８０を乗り越える。また、図５（Ａ）及び図１０に示されているように、フレキシブルケーブル３００の一端部３００Ａが右側に移動して他端部３００Ｂ側に近づくことで、フレキシブルケーブル３００が若干撓む。
【００５６】
そして、図５（Ｂ）、図５（Ｃ）、図６（Ｄ）、図６（Ｅ）、図７（Ｂ）に示されているように、キーボード７０の左側係止片１００及び右側係止片１１０が装置右側に移動する。そして、左側係止片１００及び右側係止片１１０のそれぞれ爪部１０２、１１２が、固定側装置２０の左側被係止部２００及び右側被係止部の２１０のそれぞれ左側縁部２０２Ａ、２１２Ａから外れて、係止が解除される。
【００５７】
同様に、図５（Ｄ）、図６（Ｄ）、図７（Ｄ）に示されているように、キーボード７０の後側係止片１２０が右側方向に移動する。そして、後側係止片１２０の爪部１２２が固定側装置２０の後側被係止部２２０の張出片部２２４から外れて、係止が解除される。
【００５８】
そして、図９（Ｂ）に示されているように、キーボード７０を上側に持ち上げて、固定側装置２０から、キーボード７０を取り外す。また、フレキシブルケーブル３００の他端部３００Ｂを固定側装置２０に設けられたコネクタ３１０から外す。
【００５９】
なお、本実施形態では、図３に示されているキーボード７０の前辺部８４は固定側筐体２４の取付凹部２２に、図５（Ｄ）に示されている引掛機構９２によって引っ掛けられている。よって、係止を解除した状態であっても、キーボード７０の前辺部８４の引掛部１５０が固定側筐体２４の被引掛凹部２５０に引っ掛かった状態である。したがって、キーボード７０の前辺部８４の引掛部１５０を、固定側筐体２４の被引掛凹部２５０に引っ掛けた状態で、このキーボード７０の前辺部８４を回転軸として、キーボード７０を回転させて斜めにする。キーボード７０が斜めの状態でフレキシブルケーブル３００の他端部３００Ｂを固定側装置２０に設けられたコネクタ３１０から外す。そして、キーボード７０の前辺部８４の引掛部１５０を被引掛凹部２５０から引き抜き、固定側装置２０からキーボード７０を取り外す。
【００６０】
＜作用及び効果＞
次に、上記実施形態の作用及び効果について説明する。
【００６１】
図３に示されているように、ノートパソコン１０の固定側筐体２４の取付凹部２２に上側からキーボード７０を取り付ける。これにより、キーボード７０の左側係止片１００、右側係止片１１０、及び後側係止片１２０が、それぞれ固定側装置２０の左側被係止部２００、右側被係止部２１０、及び後側被係止部２２０に係止する（図４、図６、図７等も参照）。つまり、ノートパソコン１０の固定側筐体２４の取付凹部２２にキーボード７０を取り付けるだけで、左側係止片１００、右側係止片１１０、及び後側係止片１２０が、左側被係止部２００、右側被係止部２１０、及び後側被係止部２２０に係止する。そして、ビス９８でビス止めすることで、キーボード７０が、装置右側方向の移動が規制される。よって、キーボード７０を固定側装置２０に容易に取り付けることができる。
【００６２】
また、図７（Ｃ）及び図８（Ｂ）に示されているように、キーボード７０の後辺部８８の後側係止片１２０の壁部１２４の左側の壁面１２４Ａが、固定側装置２０の後側被係止部２２０の張出片部２２４の右側の端面２２４Ａに当たる。そして、このように当たることで、キーボード７０の固定側筐体２４に対する装置左側方向の位置決めが成されている。また、図８（Ｂ）に示すように、キーボード７０のキーボード側突出部１８０が固定側筐体２４の装置側突出部２８０の左側に位置して当たることで、装置右側方向の位置決めが成されている。よって、ビス９８で止める前のキーボード７０が、誤って左右方向（装置幅方向）にスライドすることによるビス穴のずれが抑制される。
【００６３】
ここで、本実施形態では、キーボード７０及び固定側筐体２４は、それぞれ樹脂製とされ、それぞれ金型によって成形されている。そして、キーボード７０の後側係止片１２０及びキーボード側突出部１８０は同一部品（キーボード７０）に同一の工程によって一体成形されている。また、固定側筐体２４の張出片部２２４及び装置側突出部２８０は同一部品（固定側筐体２４）に同一の金型で一体成形されている。よって、キーボード７０の後側係止片１２０及びキーボード側突出部１８０が別々の部品に成形されている場合と比較し、互いの位置精度が向上する。同様に固定側筐体２４の張出片部２２４及び装置側突出部２８０が別々の部品に成形されている場合と比較し、互いの位置精度が向上する。これにより、上述したキーボード７０の固定側装置２０に対する装置幅方向（左右方向）の位置決め精度が向上する。
【００６４】
また、取り外し時には、図９（Ａ）に示されているように、ビス９８を取り外し、キーボード７０を装置右側方向にスライドさせる。図７に示されているように、左側係止片１００、右側係止片１１０、及び後側係止片１２０と、左側被係止部２００、右側被係止部２１０、及び後側被係止部２２０と、の係止が解除される。そして、図９（Ｂ）に示されるように、キーボード７０を上側に持ち上げることで、キーボード７０が固定側装置２０から取り外される。
【００６５】
したがって、左側係止片１００、右側係止片１１０、及び後側係止片１２０と、左側被係止部２００、右側被係止部２１０、及び後側被係止部２２０と、の係止を容易に解除して、キーボード７０を固定側装置２０から容易に取り外すことができる。よって、保守作業を行う際の作業効率が向上する。
【００６６】
また、図１０に示されているように、フレキシブルケーブル３００におけるキーボード７０に接続された一端部３００Ａは、固定側装置２０に接続された他端部３００Ｂよりもスライド方向の後側である左側に位置している。よって、キーボード７０を装置右側方向にスライドさせると、フレキシブルケーブル３００の一端部３００Ａが右側に移動し他端部３００Ｂに近づく。つまり、キーボード７０を右側にスライドさせても、フレキシブルケーブル３００に引張方向の力が加わることが抑制される。よって、フレキシブルケーブル３００に引張方向の力が加わることによる断線等が抑制される。
【００６７】
なお、本実施形態では、取り外しの際は、前述したようにキーボード７０の前辺部８４の引掛部１５０を、固定側筐体２４の被引掛凹部２５０に引っ掛けた状態で、キーボード７０の前辺部８４を回転軸として、キーボード７０を回転させて斜めにする。そして、キーボード７０が斜めの状態でフレキシブルケーブル３００の他端部３００Ｂを固定側装置２０に設けられたコネクタ３１０から外す。よって、フレキシブルケーブル３００をコネクタ３１０から外していない状態で、キーボード７０を持ち上げることが抑制される。よって、フレキシブルケーブル３００をコネクタ３１０から外していない状態でキーボード７０を持ち上げ、フレキシブルケーブル３００に引張方向の力が加わることによる断線等が抑制される。
【００６８】
なお、フレキシブルケーブル３００におけるキーボード７０に接続された一端部３００Ａは、回転軸となるキーボード７０の前辺部８４の近傍に設けられている。よって、キーボード７０を回転させて斜めにしても、フレキシブルケーブル３００に引張方向の力が加わることが抑制される。
【００６９】
また、図２に示されているように、装置上側方向から見たキーボード７０の外形形状は、装置左側から装置右側に向かって幅広となる部位はあっても、装置左側から装置右側に向かって幅狭となる部位がない形状となっている。よって、カーソル部７２がキーボード７０の装置前側に配置されていても、キーボード７０を装置右側方向にスライドさせることができる。
【００７０】
なお、図１１に示す比較例のキーボード５７０のように、カーソル部５７２が装置前側に張り出した外形形状の場合、張り出したカーソル部５７２の右端部５７４が固定側装置側の側部５２４当たる。よって、キーボード５７０を装置右側にスライドさせることができない。
【００７１】
これに対して、前述したように本実施形態のキーボード７０の外形形状は、図２に示されているように、装置左側から装置右側に向かって幅広となる部位はあっても、装置左側から装置右側に向かって幅狭となる部位がない。よって、キーボード７０を装置右側にスライドさせることができる。
【００７２】
＜その他＞
本願が開示する技術は、上記実施形態に限定されない。
【００７３】
例えば、上記実施形態では、図８（Ｂ）に示すように、固定側筐体２４の装置側突出部２８０よりも、キーボード７０のキーボード側突出部１８０の方が長く、キーボード７０のスライドに伴って、キーボード側突出部１８０が弾性変形したが、これに限定されない。装置側突出部２８０がキーボード側突出部１８０よりも長く、キーボード７０のスライドに伴って、装置側突出部２８０が弾性変形してもよい。
【００７４】
また、例えば、上記実施施形態では、図３に示されているキーボード７０の前辺部８４は固定側筐体２４の取付凹部２２の前側端部に、図５（Ｄ）に示されている引掛機構９２によって引っ掛けられていたが、これに限定されない。図４（Ｄ）、図７（Ｃ）と同様の後側係止片１２０と後側被係止部２２０とを、キーボード７０の前辺部８４と固定側筐体２４の取付凹部２２の前側端部に設けてもよい。
【００７５】
また、例えば、上記実施形態では、ビス９８でキーボード７０のスライドを規制すると共に、キーボード７０を取り外す際には、ビス９８を取り外すことで規制を解除していたが、これに限定されない。ビス９８以外の規制部であってもよい。例えば、上述した図８（Ｂ）に示されているキーボード側突出部１８０と装置側突出部２８０とを規制部として利用してもよい。具体的には、キーボード７０を装置右側方向にスライドさせるためには、つまりキーボード側突出部１８０が装置側突出部２８０を乗り越えるためには、大きな力が必要するように設計する。そして、使用者の取り扱い中にはキーボード７０はスライドすることが無く、保守作業の際にキーボード７０に大きな力を加えることで、キーボード７０が装置右側にスライドする設計とする。
【００７６】
また、例えば、上記実施形態は、図４に示すように、キーボード７０と固定側装置２０とは、電線の一例としてのフレキシブルケーブル（フレキシブルプリント基板）３００によって電気的に接続されていたが、これに限定されるものではない。例えば、キーボード７０と固定側装置２０とは、フラットケーブルで電気的に接続されていてもよい。
【００７７】
また、例えば、上記実施形態は、図１に示すように、電子機器の一例としてノートパソコン１０を例に説明したが、これに限定されない。また、取付部材の一例としてキーボード７０を例に説明したがこれに限定されない。例えば、デスクトップパソコン、液晶モニター、携帯電話、携帯用のＤＶＤプレーヤー、電子辞書等の電子機器に取り付けられる取付部材に適用可能である。
【００７８】
また、例えば、上記実施形態では、装置幅方向の両側に左側係止片１００、右側係止片１１０、左側被係止部２００、及び右側被係止部２１０を設け、装置後側に後側係止片１２０及び後側被係止部２２０を設けた。しかし、このような配置に限定されない。例えば、装置幅方向の両側に後側係止片１２０及び後側被係止部２２０を設け、装置後側に左側係止片１００、右側係止片１１０、左側被係止部２００、及び右側被係止部２１０を設けてもよい。
【００７９】
また、上記実施形態では、キーボード７０に左側係止片１００、右側係止片１１０、及び後側係止片１２０を設け、固定側装置２０に左側被係止部２００、右側被係止部２１０、及び後側被係止部２２０を設けたが、これに限定されない。固定側装置に左側係止片１００，右側係止片１１０、及び後側係止片１２０を設け、キーボードに左側被係止部２００、右側被係止部２１０、及び後側被係止部２２０を設けてもよい。
【００８０】
また、上記実施形態では、スライドする方向に対応する方向の一例は装置右側方向とされ、スライドする方向と交差する係止方向に対応する方向の一例は装置上側方向とされていたが、これに限定されない。スライドする方向及びスライドする方向と交差する係止方向は、どのような方向であってもよい。
【００８１】
さらに、本願の開示する技術は、その主旨を逸脱しない範囲内において種々変形して実施可能であることは勿論である。
【００８２】
＜付記＞
なお、上述の本願が開示する技術の一態様に関し、更に以下の付記を開示する。
（付記１）
装置本体と、
前記装置本体に取り付けられると共に、前記装置本体への取付位置から取付方向と交差する方向にスライドされたスライド位置に変位する取付部材と、
前記取付部材の前記取付位置から前記スライド位置へのスライドを規制すると共に該規制を解除する規制部と、
前記取付部材に設けられた係止部と、前記装置本体に設けられ前記取付位置において前記係止部が係止されることで前記取付部材の前記装置本体に対する前記取付方向と反対方向の移動を規制し前記スライド位置において前記係止部との係止状態が解除される被係止部と、を有する係止機構と、
を備える電子機器。
（付記２）
前記係止部は、前記取付部材から前記取付方向に突出し、
前記係止部の突出側の先端部には、前記取付部材の前記装置本体への取り付けに伴って、前記係止部が前記被係止部に係止される爪部が設けられている、
付記１に記載の電子機器。
（付記３）
前記係止部は、前記取付部材における前記スライド位置へのスライド方向の先側と後側の辺部にそれぞれ設けられている、
付記１又は付記２に記載の電子機器。
（付記４）
前記取付部材は、厚み方向を前記取付方向として前記装置本体に取り付けられている、
付記１〜付記３のいずれか１項に記載の電子機器。
（付記５）
前記装置本体と前記取付部材とは電線を介して電気的に接続され、
前記取付部材が前記取付位置にあるときに、前記電線と前記取付部材との接続部位は、前記電線と前記装置本体との接続部位よりも、前記スライド位置へのスライド方向の後側に位置している、
請求項１〜請求項４のいずれか１項に記載の電子機器。
（付記６）
前記係止部は、前記取付部材における前記スライド位置にスライドするスライド方向に沿った辺部に設けられ、
前記係止部は、前記取付部材が前記取付位置にあるときに、前記被係止部の前記スライド方向の後側の側部に当接する当接部を有する、
付記１〜付記５のいずれか１項に記載の電子機器。
（付記７）
前記装置本体と前記取付部材とには、前記スライド位置にスライドするスライド方向と交差する方向に沿って、互いに異なる方向に突出する突出部がそれぞれ設けられ、
前記取付部材が前記取付位置にあるときに、前記取付部材の突出部は、前記装置本体の突出部の前記スライド方向の後側の側部に当接される、
付記１〜付記６のいずれか１項に記載の電子機器。
（付記８）
前記突出部と前記突出部とは、前記規制部を形成している、
付記７に記載の電子機器。
（付記９）
前記装置本体には、前記取付部材が取り付けられる取付凹部が設けられている、
付記１〜付記８のいずれか一つに記載の電子機器。
（付記１０）
前記取付凹部は、前記取付部材がスライドするスライド方向の前側に開口されている、
付記９に記載の電子機器。
（付記１１）
前記取付部材の前記スライド位置にスライドするスライド方向と直交する断面は、前記取付方向を厚み方向とする扁平形状とされている、
付記１〜付記１０のいずれか一つの記載の電子機器。
（付記１２）
前記取方向に見た前記取付部材の外形形状は、前記スライド位置にスライドするスライド方向に対向し前記スライド方向と交差する方向に沿った対を成す左辺部及び右辺部と、前記スライド方向と交差する方向に対向し前記スライド方向に沿った対を成す前辺部及び後辺部と、を有する形状である、
付記１〜付記１１のいずれか一つに記載の電子機器。
（付記１３）
前記取方向に見た前記取付部材の外形形状は、前記スライド方向に向かって幅狭となる部位がない形状である、
付記１〜付記１３のいずれか一つに記載の電子機器。
（付記１４）
前記取付部材は、キーボードである、
付記１〜付記１３のいずれか一つの電子機器。
（付記１５）
前記キーボードは、フレームを有するアイソレーションキーボードである、
付記１４に記載の電子機器。
（付記１６）
前記装置本体は、ノートブック型パーソナルコンピュータの固定側装置である、
付記１〜付記１５の何れか一つに記載の電子機器。
【符号の説明】
【００８３】
１０      ノートブック型パーソナルコンピュータ（電子機器の一例）
３０      固定側装置（装置本体の一例）
７０      キーボード（取付部材の一例）
９０      係止機構
９８      ビス（規制部の一例）
１００      左側係止片（係止部の一例）
１１０      右側係止片（係止部の一例）
１２０      後側係止片（係止部の一例）
１２４      壁部（当接部の一例）
１８０      キーボード側突出部（突出部の一例
２００      左側被係止部（被係止部の一例）
２１０      右側被係止部（被係止部の一例）
２２０      後側被係止部（被係止部の一例）
２８０      装置側突出部（突出部の一例）
３００      フレキシブルケーブル（電線の一例）
【図１】
2014026442.tif 000003
【図２】
2014026442.tif 000004
【図３】
2014026442.tif 000005
【図４】
2014026442.tif 000006
【図５】
2014026442.tif 000007
【図６】
2014026442.tif 000008
【図７】
2014026442.tif 000009
【図８】
2014026442.tif 000010
【図９】
2014026442.tif 000011
【図１０】
2014026442.tif 000012
【図１１】
2014026442.tif 000013